(57)【要約】  移動局は、移動元セルの各周辺セルの受信品質レベルを測定し、測定された各周辺セルの受信品質レベルの情報を、移動元セルを管理する移動元基地局に送信する。移動元基地局は、移動局からの各周辺セルの受信品質レベルの情報に基づいてハンドオーバ対象のセル群を選択し、選択されたセル群の中のハンドオーバの準備が完了したハンドオーバ準備完了セルの情報を移動局に送信する。移動局は、移動元基地局からのハンドオーバ準備完了セルの情報とその時点の各周辺セルの受信品質レベルの情報とに基づいて、ハンドオーバする移動先セルを選択する。
2009142054.tif 000002
【特許請求の範囲】
【請求項１】
セルを管理する基地局と、移動に伴い移動元セルから移動先セルへのハンドオーバを行う移動局と、を有してなる移動通信システムにおいて、
前記移動局は、
前記移動元セルの各周辺セルの受信品質レベルを測定し、測定された各周辺セルの受信品質レベルの情報を、前記移動元セルを管理する移動元基地局に送信し、
前記移動元基地局は、
前記移動局からの各周辺セルの受信品質レベルの情報に基づいてハンドオーバ対象のセル群を選択し、選択されたセル群の中のハンドオーバの準備が完了したハンドオーバ準備完了セルの情報を前記移動局に送信し、
前記移動局は、
前記移動元基地局からのハンドオーバ準備完了セルの情報とその時点の各周辺セルの受信品質レベルの情報とに基づいて、ハンドオーバする移動先セルを選択することを特徴とする移動通信システム。
【請求項２】
請求項１記載の移動通信システムにおいて、
前記移動局は、
前記選択された移動先セルとの同期確立に失敗した場合、前記移動元基地局からのハンドオーバ準備完了セルの情報とその時点の各周辺セルの受信品質レベルの情報とに基づいて、ハンドオーバする移動先セルを再選択することを特徴とする移動通信システム。
【請求項３】
請求項１記載の移動通信システムにおいて、
前記移動局は、
前記選択された移動先セルとの同期確立に失敗した場合、前記移動元基地局からのハンドオーバ準備完了セルの情報とその時点の各周辺セルの受信品質レベルの情報とに基づいて、前記移動先セルへのハンドオーバを断念し、その時点で最も受信品質レベルの高いセルへ再接続することを特徴とする移動通信システム。
【請求項４】
請求項１から３のいずれか１項記載の移動通信システムにおいて、
前記移動元基地局は、
前記移動局からの各周辺セルの受信品質レベルの情報とセルブラックリストに登録されたセルの情報とに基づいてハンドオーバ対象のセル群を選択し、選択されたセル群を管理する周辺基地局群にハンドオーバ準備要求メッセージを送信し、前記周辺基地局群から受信した、ハンドオーバ準備要求メッセージに対する要求肯定応答メッセージに基づいて、ハンドオーバ準備完了セルの情報を作成することを特徴とする移動通信システム。
【請求項５】
請求項４記載の移動通信システムにおいて、
前記移動元基地局は、
前記周辺基地局群から前記要求肯定応答メッセージを受信できなかったセルの情報を、前記セルブラックリスト登録することを特徴とする移動通信システム。
【請求項６】
請求項５記載の移動通信システムにおいて、
前記移動元基地局は、
前記周辺基地局群から前記要求肯定応答メッセージを受信したセルの情報が前記セルブラックリストに登録されている場合、当該セルの情報を前記セルブラックリストから削除することを特徴とする移動通信システム。
【請求項７】
移動に伴い移動元セルから移動先セルへのハンドオーバを行う移動局において、
前記移動元セルの各周辺セルの受信品質レベルを測定し、測定された各周辺セルの受信品質レベルの情報を、前記移動元セルを管理する移動元基地局に送信し、前記移動元基地局からのハンドオーバ準備完了セルの情報とその時点の各周辺セルの受信品質レベルの情報とに基づいて、ハンドオーバする移動先セルを選択するハンドオーバ処理部を有することを特徴とする移動局。
【請求項８】
請求項７記載の移動局において、
前記ハンドオーバ処理部は、
前記選択された移動先セルとの同期確立に失敗した場合、前記移動元基地局からのハンドオーバ準備完了セルの情報とその時点の各周辺セルの受信品質レベルの情報とに基づいて、ハンドオーバする移動先セルを再選択することを特徴とする移動局。
【請求項９】
請求項７記載の移動局において、
前記ハンドオーバ処理部は、
前記選択された移動先セルとの同期確立に失敗した場合、前記移動元基地局からのハンドオーバ準備完了セルの情報とその時点の各周辺セルの受信品質レベルの情報とに基づいて、前記移動先セルへのハンドオーバを断念し、その時点で最も受信品質レベルの高いセルへ再接続することを特徴とする移動局。
【請求項１０】
移動局が移動に伴い移動元セルから移動先セルへのハンドオーバを行う場合における、前記移動元セルを管理する基地局において、
前記移動局からの前記移動元セルの各周辺セルの受信品質レベルの情報に基づいてハンドオーバ対象のセル群を選択し、選択されたセル群の中のハンドオーバの準備が完了したハンドオーバ準備完了セルの情報を前記移動局に送信するハンドオーバ処理部を有することを特徴とする基地局。
【請求項１１】
請求項１０記載の基地局において、
前記ハンドオーバ処理部は、
前記移動局からの各周辺セルの受信品質レベルの情報とセルブラックリストに登録されたセルの情報とに基づいてハンドオーバ対象のセル群を選択し、選択されたセル群を管理する周辺基地局群にハンドオーバ準備要求メッセージを送信し、前記周辺基地局群から受信した、ハンドオーバ準備要求メッセージに対する要求肯定応答メッセージに基づいて、ハンドオーバ準備完了セルの情報を作成することを特徴とする基地局。
【請求項１２】
請求項１１記載の基地局において、
前記ハンドオーバ処理部は、
前記周辺基地局群から前記要求肯定応答メッセージを受信できなかったセルの情報を、前記セルブラックリスト登録することを特徴とする基地局。
【請求項１３】
請求項１２記載の基地局において、
前記ハンドオーバ処理部は、
前記周辺基地局群から前記要求肯定応答メッセージを受信したセルの情報が前記セルブラックリストに登録されている場合、当該セルの情報を前記セルブラックリストから削除することを特徴とする基地局。
【請求項１４】
移動に伴い移動元セルから移動先セルへのハンドオーバを行う移動局によるハンドオーバ制御方法において、
前記移動元セルの各周辺セルの受信品質レベルを測定し、測定された各周辺セルの受信品質レベルの情報を、前記移動元セルを管理する移動元基地局に送信するステップと、
前記移動元基地局からのハンドオーバ準備完了セルの情報とその時点の各周辺セルの受信品質レベルの情報とに基づいて、ハンドオーバする移動先セルを選択するステップと、を有することを特徴とするハンドオーバ制御方法。
【請求項１５】
請求項１４記載のハンドオーバ制御方法において、
前記選択された移動先セルとの同期確立に失敗した場合、前記移動元基地局からのハンドオーバ準備完了セルの情報とその時点の各周辺セルの受信品質レベルの情報とに基づいて、ハンドオーバする移動先セルを再選択するステップをさらに有することを特徴とするハンドオーバ制御方法。
【請求項１６】
請求項１４記載のハンドオーバ制御方法において、
前記選択された移動先セルとの同期確立に失敗した場合、前記移動元基地局からのハンドオーバ準備完了セルの情報とその時点の各周辺セルの受信品質レベルの情報とに基づいて、前記移動先セルへのハンドオーバを断念し、その時点で最も受信品質レベルの高いセルへ再接続するステップをさらに有することを特徴とするハンドオーバ制御方法。
【請求項１７】
移動局が移動に伴い移動元セルから移動先セルへのハンドオーバを行う場合における、前記移動元セルを管理する基地局によるハンドオーバ制御方法において、
前記移動局からの前記移動元セルの各周辺セルの受信品質レベルの情報に基づいてハンドオーバ対象のセル群を選択する第１ステップと、
選択されたセル群の中のハンドオーバの準備が完了したハンドオーバ準備完了セルの情報を前記移動局に送信する第２ステップと、を有することを特徴とするハンドオーバ制御方法。
【請求項１８】
請求項１７記載のハンドオーバ制御方法において、
前記第１ステップでは、
前記移動局からの各周辺セルの受信品質レベルの情報とセルブラックリストに登録されたセルの情報とに基づいてハンドオーバ対象のセル群を選択し、
前記第２ステップでは、
前記選択されたセル群を管理する周辺基地局群にハンドオーバ準備要求メッセージを送信し、前記周辺基地局群から受信した、ハンドオーバ準備要求メッセージに対する要求肯定応答メッセージに基づいて、ハンドオーバ準備完了セルの情報を作成することを特徴とするハンドオーバ制御方法。
【請求項１９】
請求項１８記載のハンドオーバ制御方法において、
前記第２ステップでは、
前記周辺基地局群から前記要求肯定応答メッセージを受信できなかったセルの情報を、前記セルブラックリスト登録することを特徴とするハンドオーバ制御方法。
【請求項２０】
請求項１９記載のハンドオーバ制御方法において、
前記第２ステップでは、
前記周辺基地局群から前記要求肯定応答メッセージを受信したセルの情報が前記セルブラックリストに登録されている場合、当該セルの情報を前記セルブラックリストから削除することを特徴とするハンドオーバ制御方法。
【発明の詳細な説明】
【技術分野】
【０００１】
本発明は、移動通信システムにおいて、移動局が、移動に伴い移動元セルから移動先セルへのハンドオーバ（ＨＯ：hand  over）を行う技術に関する。
【背景技術】
【０００２】
３ＧＰＰ  ＴＳ  ３６．３００には、移動通信システムにおいて、移動局（UE）が、移動に伴い移動元セルから移動先セルへのハンドオーバを行う際の手続きが規定されている。このハンドオーバ手続きについて、以下に説明する。【０００３】
移動局は、移動元セルの各周辺セルから送信されるパイロット信号を受信してその受信品質レベルを測定し、測定された受信品質レベル情報を、移動元セルを管理している移動元基地局（Source  eNodeB）へ送信する。【０００４】
移動元基地局は、移動局から各周辺セルの受信品質レベル情報を受信すると、各周辺セルの受信品質レベル情報に基づいて、ハンドオーバ対象のセル群を選択し、選択されたセル群を管理している周辺基地局群へハンドオーバ準備要求メッセージを送信する。【０００５】
そして、移動元基地局は、周辺基地局群からのハンドオーバ準備要求メッセージに対する要求肯定応答メッセージを受信すると、それを契機にハンドオーバする移動先セルを決定し、決定された移動先セルへのハンドオーバ実施指示メッセージを移動局へ送信する。【０００６】
移動局は、移動元基地局からハンドオーバ実施指示メッセージを受信すると、ハンドオーバ実施指示メッセージにより指示された移動先セルを管理している移動先基地局（Target  eNodeB）と同期確立を行い、ハンドオーバ実施指示メッセージに対する応答メッセージを移動先基地局へ送信する。【０００７】
移動先基地局は、ハンドオーバ実施指示メッセージに対する応答メッセージを受信すると、ハンドオーバ完了通知メッセージを移動元基地局へ送信する。【０００８】
これにより、ハンドオーバ手続きが完了する。【０００９】
なお、移動局は、上記の同期確立に失敗した場合は、各周辺セルの受信品質レベルを再測定し、最も受信品質レベルの高いセルを管理している移動先基地局と同期確立を行い、ハンドオーバ実施指示メッセージに対する応答メッセージを移動先基地局へ送信する。ここで、応答メッセージを受信した移動先基地局でハンドオーバの準備が整っている場合は、ハンドオーバに成功する。【００１０】
しかしながら、上述した移動通信システムにおいては、移動元基地局がハンドオーバ実施指示メッセージを送信した時点で、ハンドオーバ実施指示メッセージにより指示された移動先セルの受信品質レベルがハンドオーバできないレベルまで低下しているケースがある。また、上記の同期確立に失敗した場合に、ハンドオーバ実施指示メッセージに対する応答メッセージを受信した移動先基地局でハンドオーバの準備が整っていないケースもある。このため、ハンドオーバの成功する確率が低下するおそれがあるという課題がある。【００１１】
また、上述した移動通信システムにおいては、上記の同期確立に失敗した場合に、不必要な信号のやりとりによる接続遅延や、輻輳している基地局への負荷増大を招くおそれがあるという課題もある。
【非特許文献１】３ＧＰＰ  ＴＳ  ３６．３００，Ｖ８．４．０
【発明の開示】
【００１２】
そこで、本発明の目的は、上記の課題のいずれかを解決する移動通信システム、移動局、基地局、ハンドオーバ制御方法を提供することにある。
【００１３】
本発明の移動通信システムは、
セルを管理する基地局と、移動に伴い移動元セルから移動先セルへのハンドオーバを行う移動局と、を有してなる移動通信システムにおいて、
前記移動局は、
前記移動元セルの各周辺セルの受信品質レベルを測定し、測定された各周辺セルの受信品質レベルの情報を、前記移動元セルを管理する移動元基地局に送信し、
前記移動元基地局は、
前記移動局からの各周辺セルの受信品質レベルの情報に基づいてハンドオーバ対象のセル群を選択し、選択されたセル群の中のハンドオーバの準備が完了したハンドオーバ準備完了セルの情報を前記移動局に送信し、
前記移動局は、
前記移動元基地局からのハンドオーバ準備完了セルの情報とその時点の各周辺セルの受信品質レベルの情報とに基づいて、ハンドオーバする移動先セルを選択することを特徴とする。
【００１４】
本発明の移動局は、
移動に伴い移動元セルから移動先セルへのハンドオーバを行う移動局において、
前記移動元セルの各周辺セルの受信品質レベルを測定し、測定された各周辺セルの受信品質レベルの情報を、前記移動元セルを管理する移動元基地局に送信し、前記移動元基地局からのハンドオーバ準備完了セルの情報とその時点の各周辺セルの受信品質レベルの情報とに基づいて、ハンドオーバする移動先セルを選択するハンドオーバ処理部を有することを特徴とする。
【００１５】
本発明の基地局は、
移動局が移動に伴い移動元セルから移動先セルへのハンドオーバを行う場合における、前記移動元セルを管理する基地局において、
前記移動局からの前記移動元セルの各周辺セルの受信品質レベルの情報に基づいてハンドオーバ対象のセル群を選択し、選択されたセル群の中のハンドオーバの準備が完了したハンドオーバ準備完了セルの情報を前記移動局に送信するハンドオーバ処理部を有することを特徴とする。
【００１６】
本発明の第１のハンドオーバ制御方法は、
移動に伴い移動元セルから移動先セルへのハンドオーバを行う移動局によるハンドオーバ制御方法において、
前記移動元セルの各周辺セルの受信品質レベルを測定し、測定された各周辺セルの受信品質レベルの情報を、前記移動元セルを管理する移動元基地局に送信するステップと、
前記移動元基地局からのハンドオーバ準備完了セルの情報とその時点の各周辺セルの受信品質レベルの情報とに基づいて、ハンドオーバする移動先セルを選択するステップと、を有することを特徴とする。
【００１７】
本発明の第２のハンドオーバ制御方法は、
移動局が移動に伴い移動元セルから移動先セルへのハンドオーバを行う場合における、前記移動元セルを管理する基地局によるハンドオーバ制御方法において、
前記移動局からの前記移動元セルの各周辺セルの受信品質レベルの情報に基づいてハンドオーバ対象のセル群を選択する第１ステップと、
選択されたセル群の中のハンドオーバの準備が完了したハンドオーバ準備完了セルの情報を前記移動局に送信する第２ステップと、を有することを特徴とする。
【００１８】
本発明によれば、移動局は、ハンドオーバする場合、移動元基地局からのハンドオーバ準備完了セルの情報とその時点の各周辺セルの受信品質レベルの情報とに基づいて、ハンドオーバする移動先セルを選択する。
【００１９】
したがって、移動局がハンドオーバする移動先セルの受信品質レベルが、ハンドオーバできないレベルまで低下しているケースをなくすことができるため、ハンドオーバの成功する確率を上げることができるという効果が得られる。
【図面の簡単な説明】
【００２０】
【図１】本発明の一実施形態の移動通信システムの構成を示す図である。
【図２】図１に示した移動局の構成を示すブロック図である。
【図３】図１に示した基地局の構成を示すブロック図である。
【図４Ａ】図１に示した移動通信システムの動作を説明するフローチャートである。
【図４Ｂ】図１に示した移動通信システムの動作を説明するフローチャートである。
【図５】図１に示した移動通信システムの動作を説明するフローチャートである。
【発明を実施するための最良の形態】
【００２１】
以下に、本発明を実施するための最良の形態について図面を参照して説明する。【００２２】
図１を参照すると、本実施形態の移動通信システムは、セルを管理する基地局１０と、移動に伴い移動元セルから移動先セルへのハンドオーバを行う移動局２０と、コアネットワーク３０と、を有する。なお、図１においては、基地局１０と移動局２０の数を、それぞれ３つと１つとしたが、本発明はこれに限定されない。【００２３】
ここで、基地局１０および移動局２０の構成について説明する。【００２４】
まず、移動局２０の構成について、図２を参照して説明する。【００２５】
図２を参照すると、移動局２０は、無線通信部２１と、ハンドオーバ処理部２２と、制御部（ＣＰＵ）２３と、メモリ２４と、を含む。【００２６】
無線通信部２１は、基地局１０と無線通信を行う。【００２７】
ハンドオーバ処理部２２は、次の（Ａ）〜（Ｃ）のようなハンドオーバ処理を行う。【００２８】
（Ａ）移動元セルの各周辺セルの受信品質レベルを測定し、各周辺セルの受信品質レベル情報を、無線通信部２１から移動元基地局に送信する処理
（Ｂ）移動元基地局からのハンドオーバ準備完了セルの情報とその時点の各周辺セルの受信品質レベル情報とに基づいて、ハンドオーバする移動先セルを選択する処理
（Ｃ）上記で選択された移動先セルとの同期確立に失敗した場合に、移動元基地局からのハンドオーバ準備完了セルの情報とその時点の各周辺セルの受信品質レベル情報とに基づいて、ハンドオーバする移動先セルを再選択するか、または、ハンドオーバを断念し、その時点で最も受信品質レベルの高いセルに再接続する処理
制御部２３は、無線通信部２１およびハンドオーバ処理部２２の制御を行う。【００２９】
メモリ２４は、制御部２３の作業用メモリとしての機能を有する他に、制御部２３の制御手順をプログラムとして格納するＲＯＭの機能も有する。【００３０】
次に、基地局１０の構成について、図３を参照して説明する。【００３１】
図３を参照すると、基地局１０は、無線通信部１１と、ネットワーク通信部１２と、ハンドオーバ処理部１３と、制御部（ＣＰＵ）１４と、メモリ１５と、を含む。【００３２】
無線通信部１１は、移動局２０と無線通信を行う。【００３３】
ネットワーク通信部１２は、他の基地局１０やコアネットワーク３０とのネットワーク通信を行う。【００３４】
ハンドオーバ処理部１３は、次の（ａ）〜（ｃ）のようなハンドオーバ処理を行う。【００３５】
（ａ）移動局２０からの各周辺セルの受信品質レベル情報とセルブラックリストに登録されたセルの情報とに基づいて、ハンドオーバ対象のセル群を選択し、選択されたセル群を管理する周辺基地局群に、ネットワーク通信部１２からハンドオーバ準備要求メッセージを送信する処理
（ｂ）周辺基地局群から受信した、ハンドオーバ準備要求メッセージに対する要求肯定応答メッセージに基づいて、ハンドオーバ準備完了セルの情報を作成し、無線通信部１１から移動局２０に送信する処理
（ｃ）セルブラックリストへのセルの情報の登録・削除処理
制御部１４は、無線通信部１１、ネットワーク通信部１２、およびハンドオーバ処理部１３の制御を行う。【００３６】
メモリ１５は、制御部１４の作業用メモリとしての機能を有する他に、制御部１４の制御手順をプログラムとして格納したＲＯＭの機能も有する。【００３７】
以下、本実施形態の移動通信システムの動作について、図４Ａおよび図４Ｂを参照して説明する。【００３８】
まず、図４Ａを参照すると、移動局２０は、現存している移動元セルの各周辺セルから送信されるパイロット信号を受信してその受信品質を測定する（ステップＳ１０１）。【００３９】
移動局２０は、移動元セルよりも任意の閾値以上受信品質のよいセルを検出すると、それを契機にパイロット信号を受信した全ての周辺セルの識別子と受信品質レベルとからなる周辺セル受信品質レベル情報を、移動元セルを管理している基地局（移動元基地局）へ送信する（ステップＳ１０２）。【００４０】
移動元基地局は、移動局２０から周辺セル受信品質レベル情報を受信すると、周辺セル受信品質レベル情報で報告されたセルのうち、任意の閾値以上の受信品質レベルをもつセルを抽出し（ステップＳ１０３）、抽出されたセルの識別子がセルブラックリストに登録されているか否かを確認する（ステップＳ１０４）。セルブラックリストとは、ハンドオーバ対象から外すセルの情報が登録されているリストであるが、詳細は後述する。【００４１】
ステップＳ１０４において、ステップＳ１０３で抽出されたセルの識別子がセルブラックリストに登録されている場合は、移動元基地局は、そのセルのハンドオーバ準備要求回避カウンタの値が任意の閾値と等しいか否かを確認する（ステップＳ１０５）。【００４２】
ステップＳ１０５において、ステップＳ１０３で抽出されたセルのハンドオーバ準備要求回避カウンタの値が任意の閾値と等しい場合は、移動元基地局は、そのセルのハンドオーバ準備要求回避カウンタの値をクリアし（ステップＳ１０６）、そのセルをハンドオーバ対象のセルとして選択する（ステップＳ１０８）。【００４３】
また、ステップＳ１０５において、ステップＳ１０３で抽出されたセルのハンドオーバ準備要求回避カウンタの値が任意の閾値未満の場合は、移動元基地局は、そのセルのハンドオーバ準備要求回避カウンタの値を１加算し、そのセルをハンドオーバ対象から外す（ステップＳ１０７）。【００４４】
一方、ステップＳ１０４において、ステップＳ１０３で抽出されたセルの識別子がセルブラックリストに登録されていない場合は、移動元基地局は、そのセルをハンドオーバ対象のセルとして選択する（ステップＳ１０８）。【００４５】
すなわち、セルブラックリストに登録されたセルは、当初はハンドオーバ対象のセルとして選択されないが、一定期間が経過し、ハンドオーバ準備要求回避カウンタの値が任意の閾値と等しくなった時点で、ハンドオーバ対象のセルとして選択可能になる。【００４６】
移動元基地局は、ハンドオーバ対象のセル群を選択した後、選択されたセル群を管理している周辺基地局群へ、ハンドオーバの準備に必要な情報（移動局２０や無線リソースの情報等）を含むハンドオーバ準備要求メッセージを送信する（ステップＳ１０９）。【００４７】
周辺基地局は、移動元基地局からハンドオーバ準備要求メッセージを受信すると、ハンドオーバの準備に成功した時点で、ハンドオーバ準備要求メッセージに対する要求応答メッセージを移動元基地局へ送信する（ステップＳ１１０）。【００４８】
移動元基地局は、任意の時間内に周辺基地局群から受信した要求応答メッセージを基に、ハンドオーバ準備完了セルの情報を生成する（ステップＳ１１１）。また、移動元基地局は、ハンドオーバ準備完了セルの識別子がセルブラックリストに登録されている場合は、その識別子をセルブラックリストから削除する（ステップＳ１１２）。【００４９】
また、移動元基地局は、任意時間内に周辺基地局群から要求応答メッセージを受信できなかったセルの識別子を、セルブラックリストに追加する（ステップＳ１１３）。【００５０】
そして、移動元基地局は、ハンドオーバ準備完了セルの情報とセルブラックリストの両方をメモリ１５へ保存し（ステップＳ１１４）、ハンドオーバ準備完了セルの情報を含むハンドオーバ実施指示メッセージを移動局２０へ送信する（ステップＳ１１５）。【００５１】
次に、図４Ｂを参照すると、移動局２０は、ハンドオーバ準備完了セルの情報を含むハンドオーバ実施指示メッセージを受信すると、移動元セルの各周辺セルから送信されるパイロット信号を受信してその受信品質を測定し（ステップＳ１１６）、移動元セルよりも任意の閾値以上受信品質のよいセルの有無を確認する（ステップＳ１１７）。【００５２】
ステップＳ１１７において、受信品質のよいセルが存在する場合は、移動局２０は、さらに、そのセルの中にハンドオーバ準備完了セルが存在するか否か確認する（ステップＳ１１８）。【００５３】
ステップＳ１１８において、ハンドオーバ準備完了セルが存在する場合は、移動局２０は、ハンドオーバ準備完了セルの中で最も受信品質のよいセルを移動先セルとして選択し（ステップＳ１１９）、選択された移動先セルを管理している移動先基地局と同期確立を行い（ステップＳ１２０）、ハンドオーバ実施指示メッセージに対する応答メッセージを移動先基地局へ送信する（ステップＳ１２１）。【００５４】
一方、ステップＳ１１７において、受信品質のよいセルが存在しない場合、または、ステップＳ１１８において、ハンドオーバ準備完了セルが存在しない場合は、移動局２０は、ハンドオーバを行わず、現在の状態を維持する（ステップＳ１２２）。【００５５】
移動先基地局は、ハンドオーバ実施指示メッセージに対する応答メッセージを受信すると、ハンドオーバ完了通知メッセージを移動元基地局へ送信する（ステップＳ１２３）。【００５６】
移動元基地局は、移動先基地局からのハンドオーバ完了通知メッセージの受信、または、任意タイマーの満了を契機に、ハンドオーバ準備完了セルの情報に基づいて、これらハンドオーバ準備完了セルを管理している周辺基地局へ、ハンドオーバ準備解除要求メッセージを送信する（ステップＳ１２４）。【００５７】
これにより、ハンドオーバ手続きが完了する。【００５８】
なお、図４Ｂは、移動局２０が移動先基地局との同期確立に成功することを前提としているが、同期確立に失敗することも考えられる。そこで、移動局２０が移動先基地局との同期確立に失敗した場合の動作について、図５を参照して説明する。なお、図５は、図４Ａの処理に引き続いて行われる処理を示している。【００５９】
図５を参照すると、移動局２０は、移動元セルの各周辺セルから送信されるパイロット信号を受信してその受信品質を測定し（ステップＳ２０１）、移動元セルよりも任意の閾値以上受信品質のよいセルの有無を確認する（ステップＳ２０２）。【００６０】
ステップＳ２０２において、受信品質のよいセルが存在する場合は、移動局２０は、さらに、そのセルの中にハンドオーバ準備完了セルが存在するか否か確認する（ステップＳ２０３）。【００６１】
ステップＳ２０３において、ハンドオーバ準備完了セルが存在する場合は、移動局２０は、ハンドオーバ準備完了セルの中で最も受信品質のよいセルを移動先セルとして選択し（ステップＳ２０４）、選択された移動先セルを管理している移動先基地局と同期確立を行う（ステップＳ２０５）。【００６２】
一方、ステップＳ２０２において、受信品質のよいセルが存在しない場合、または、ステップＳ２０３において、ハンドオーバ準備完了セルが存在しない場合は、ステップＳ２１１へ進む。【００６３】
次に、移動局２０は、移動先基地局との同期確立に成功したか否かを判断し（ステップＳ２０６）、同期確立に成功した場合は、移動局２０は、ハンドオーバ実施指示メッセージに対する応答メッセージを移動先基地局へ送信する（ステップＳ２０７）。【００６４】
移動先基地局は、ハンドオーバ実施指示メッセージに対する応答メッセージを受信すると、ハンドオーバ完了通知メッセージを移動元基地局へ送信する（ステップＳ２０８）。【００６５】
移動元基地局は、移動先基地局からのハンドオーバ完了通知メッセージの受信、または、任意タイマーの満了を契機に、ハンドオーバ準備完了セルの情報に基づいて、これらハンドオーバ準備完了セルを管理している周辺基地局へ、ハンドオーバ準備解除要求メッセージを送信する（ステップＳ２０９）。【００６６】
一方、ステップＳ２０６において、同期確立に失敗した場合は、移動局２０は、同期確立を失敗した回数が任意回数以上であるか否かを確認し（ステップＳ２１０）、任意回数未満の場合は、ステップＳ２０２へ戻る。また、ステップＳ２１０において、任意回数以上の場合は、移動局２０は、ハンドオーバを断念し、ハンドオーバ準備完了セルの中で最も受信品質のよいセルを選択し（ステップＳ２０９）、選択されたセルを管理している基地局と再接続を行う（ステップＳ２１０）。【００６７】
上述したように本実施形態においては、移動局２０は、ハンドオーバする場合、移動元基地局からのハンドオーバ準備完了セルの情報とその時点の各周辺セルの受信品質レベルの情報とに基づいて、ハンドオーバする移動先セルを選択する。【００６８】
したがって、移動局２０がハンドオーバする移動先セルの受信品質レベルが、ハンドオーバできないレベルまで低下しているケースをなくすことができる。【００６９】
また、本実施形態においては、移動局２０は、上記で選択された移動先セルとの同期確立に失敗した場合に、移動元基地局からのハンドオーバ準備完了セルの情報とその時点の各周辺セルの受信品質レベル情報とに基づいて、ハンドオーバする移動先セルを再選択する。【００７０】
したがって、再選択された移動先基地局でハンドオーバの準備が整っていないケースもなくすことができる。【００７１】
このように、上記の２つのケースをなくすことができるため、ハンドオーバの成功する確率を上げることができる。【００７２】
また、本実施形態においては、移動局２０は、上記で選択された移動先セルとの同期確立に失敗した場合に、移動元基地局からのハンドオーバ準備完了セルの情報とその時点の各周辺セルの受信品質レベル情報とに基づいて、移動先セルを選択するか、または、ハンドオーバを断念し、その時点で最も受信品質レベルの高いセルに再接続する。【００７３】
したがって、移動先セルとの同期確立に失敗した後に、不必要な信号のやりとりによる接続遅延や、輻輳している基地局への負荷増大が生じることを回避することができる。【００７４】
以上、実施形態を参照して本発明を説明したが、本発明は上記実施形態に限定されものではない。本発明の構成や詳細には、本発明の範囲内で当業者が理解し得る様々な変更をすることができる。【００７５】
本出願は、２００８年５月１９日に出願された日本出願特願２００８−１３０５３９を基礎とする優先権を主張し、その開示の全てをここに取り込む。
【図１】
2009142054.tif 000003
【図２】
2009142054.tif 000004
【図３】
2009142054.tif 000005
【図４Ａ】
2009142054.tif 000006
【図４Ｂ】
2009142054.tif 000007
【図５】
2009142054.tif 000008
【手続補正書】
【提出日】平成22年10月28日(2010.10.28)
【手続補正１】
【補正対象書類名】特許請求の範囲
【補正対象項目名】全文
【補正方法】変更
【補正の内容】
【特許請求の範囲】
【請求項１】
セルを管理する基地局と、移動に伴い移動元セルから移動先セルへのハンドオーバを行う移動局と、を有してなる移動通信システムにおいて、
前記移動局は、
前記移動元セルの各周辺セルの受信品質レベルを測定し、測定された各周辺セルの受信品質レベルの情報を、前記移動元セルを管理する移動元基地局に送信し、
前記移動元基地局は、
前記移動局からの各周辺セルの受信品質レベルの情報に基づいてハンドオーバ対象のセル群を選択し、選択されたセル群の中のハンドオーバの準備が完了したハンドオーバ準備完了セルの情報を前記移動局に送信し、
前記移動局は、
前記移動元基地局からのハンドオーバ準備完了セルの情報とその時点の各周辺セルの受信品質レベルの情報とに基づいて、ハンドオーバする移動先セルを選択することを特徴とする移動通信システム。
【請求項２】
移動に伴い移動元セルから移動先セルへのハンドオーバを行う移動局において、
前記移動元セルの各周辺セルの受信品質レベルを測定し、測定された各周辺セルの受信品質レベルの情報を、前記移動元セルを管理する移動元基地局に送信し、前記移動元基地局からのハンドオーバ準備完了セルの情報とその時点の各周辺セルの受信品質レベルの情報とに基づいて、ハンドオーバする移動先セルを選択するハンドオーバ処理部を有することを特徴とする移動局。
【請求項３】
請求項２記載の移動局において、
前記ハンドオーバ処理部は、
前記選択された移動先セルとの同期確立に失敗した場合、前記移動元基地局からのハンドオーバ準備完了セルの情報とその時点の各周辺セルの受信品質レベルの情報とに基づいて、ハンドオーバする移動先セルを再選択することを特徴とする移動局。
【請求項４】
請求項２記載の移動局において、
前記ハンドオーバ処理部は、
前記選択された移動先セルとの同期確立に失敗した場合、前記移動元基地局からのハンドオーバ準備完了セルの情報とその時点の各周辺セルの受信品質レベルの情報とに基づいて、前記移動先セルへのハンドオーバを断念し、その時点で最も受信品質レベルの高いセルへ再接続することを特徴とする移動局。
【請求項５】
移動局が移動に伴い移動元セルから移動先セルへのハンドオーバを行う場合における、前記移動元セルを管理する基地局において、
前記移動局からの前記移動元セルの各周辺セルの受信品質レベルの情報に基づいてハンドオーバ対象のセル群を選択し、選択されたセル群の中のハンドオーバの準備が完了したハンドオーバ準備完了セルの情報を前記移動局に送信するハンドオーバ処理部を有することを特徴とする基地局。
【請求項６】
請求項５記載の基地局において、
前記ハンドオーバ処理部は、
前記移動局からの各周辺セルの受信品質レベルの情報とセルブラックリストに登録されたセルの情報とに基づいてハンドオーバ対象のセル群を選択し、選択されたセル群を管理する周辺基地局群にハンドオーバ準備要求メッセージを送信し、前記周辺基地局群から受信した、ハンドオーバ準備要求メッセージに対する要求肯定応答メッセージに基づいて、ハンドオーバ準備完了セルの情報を作成することを特徴とする基地局。
【請求項７】
請求項６記載の基地局において、
前記ハンドオーバ処理部は、
前記周辺基地局群から前記要求肯定応答メッセージを受信できなかったセルの情報を、前記セルブラックリスト登録することを特徴とする基地局。
【請求項８】
請求項７記載の基地局において、
前記ハンドオーバ処理部は、
前記周辺基地局群から前記要求肯定応答メッセージを受信したセルの情報が前記セルブラックリストに登録されている場合、当該セルの情報を前記セルブラックリストから削除することを特徴とする基地局。
【請求項９】
移動に伴い移動元セルから移動先セルへのハンドオーバを行う移動局によるハンドオーバ制御方法において、
前記移動元セルの各周辺セルの受信品質レベルを測定し、測定された各周辺セルの受信品質レベルの情報を、前記移動元セルを管理する移動元基地局に送信するステップと、
前記移動元基地局からのハンドオーバ準備完了セルの情報とその時点の各周辺セルの受信品質レベルの情報とに基づいて、ハンドオーバする移動先セルを選択するステップと、を有することを特徴とするハンドオーバ制御方法。
【請求項１０】
移動局が移動に伴い移動元セルから移動先セルへのハンドオーバを行う場合における、前記移動元セルを管理する基地局によるハンドオーバ制御方法において、
前記移動局からの前記移動元セルの各周辺セルの受信品質レベルの情報に基づいてハンドオーバ対象のセル群を選択する第１ステップと、
選択されたセル群の中のハンドオーバの準備が完了したハンドオーバ準備完了セルの情報を前記移動局に送信する第２ステップと、を有することを特徴とするハンドオーバ制御方法。
【国際調査報告】
2009142054.tif 000009
2009142054.tif 000010
2009142054.tif 000011
2009142054.tif 000012